(57)【特許請求の範囲】
【請求項１】
一端が外部電源に接続された電源コードの他端に設けられたプラグコネクタを接続するためのレセプタクルコネクタを筐体の一面に備えた電源装置であって、
前記電源コードを挿通させるコード挿通孔と、前記レセプタクルコネクタに接続された前記プラグコネクタの肩部を係止することで該プラグコネクタの前記レセプタクルコネクタからの抜けを防止する抜け止め部と、前記筐体の一面から進退可能な状態で一端側が該筐体内に差し込まれると共に他端側に前記コード挿通孔及び前記抜け止め部が設けられたベース部とを有し、前記筐体の一面から進退可能に設けられたプラグ保持部材と、
前記プラグ保持部材が前記筐体側に押し込まれる方向にプッシュ操作された場合に該プラグ保持部材を所定の押込位置に保持する一方、前記押込位置に保持された前記プラグ保持部材が前記筐体側に押し込まれる方向にさらにプッシュ操作された場合に前記保持を解除し、該プラグ保持部材を前記筐体の一面から押し出す方向に移動させるプッシュ・プッシュ機構と、
を備えることを特徴とする電源装置。
【請求項２】
請求項１記載の電源装置において、
前記プラグ保持部材が前記押込位置に保持された状態で、前記レセプタクルコネクタに接続された前記プラグコネクタの肩部と前記抜け止め部との間には、前記保持を解除するためのプッシュ操作を許容する隙間が形成されており、
前記隙間の範囲内で前記プラグコネクタが移動した場合には、前記プラグコネクタと前記レセプタクルコネクタとの電気的な接続状態が維持されることを特徴とする電源装置。
【請求項３】
請求項１又は２記載の電源装置において、
前記プラグ保持部材のベース部には、前記コード挿通孔と連通し、前記プラグコネクタの前記レセプタクルコネクタに対する挿抜方向と交差する方向に開口して前記プラグコネクタが挿通されるコネクタ挿通孔が設けられており、
前記筐体の一面の外形範囲内での前記プラグコネクタの移動によって、該プラグコネクタを前記コネクタ挿通孔に対して挿通可能であることを特徴とする電源装置。
【請求項４】
請求項１〜３のいずれか１項に記載の電源装置において、
前記プラグ保持部材が前記押込位置に保持された状態を検知するセンサを備えることを特徴とする電源装置。
【請求項５】
請求項４記載の電源装置において、
前記プラグ保持部材が前記押込位置に保持された状態を前記センサが検知した場合に、当該電源装置からの電力を外部に出力可能な運転準備状態に制御する制御部を備えることを特徴とする電源装置。
【請求項６】
請求項５記載の電源装置において、
前記制御部は、当該電源装置の運転中に前記プラグ保持部材の前記押込位置での保持が解除された状態を前記センサが検知した場合に、外部に警報信号を発信することを特徴とする電源装置。
【請求項７】
請求項１〜６のいずれか１項に記載の電源装置を備えることを特徴とするサーバ装置。
【発明の詳細な説明】
【技術分野】
【０００１】
本発明は、電源コードに接続されたプラグコネクタを接続するためのレセプタクルコネクタを筐体の一面に備えた電源装置及び該電源装置を備えるサーバ装置に関する。
【背景技術】
【０００２】
現在、企業内での情報管理や業務アプリケーションへの対応、さらにはデータベースの管理やインターネット基盤の処理のため、多くの企業や学術機関等で広くサーバ装置が設置されている。一般的なサーバ装置は上記のような多機能処理に対応するため、１台のラックにＣＰＵやメモリ等のブレードを増設可能に構成されており、サーバ装置の電源装置も同様なユニット構造として搭載されている（例えば、特許文献１参照）。
【先行技術文献】
【特許文献】
【０００３】
【特許文献１】特開２００８−９６４８号公報
【発明の概要】
【発明が解決しようとする課題】
【０００４】
このようなサーバ装置に搭載される電源ユニットでは、その背面に設けたレセプタクルコネクタに対し、外部電源からの電源コードの先端に設けたプラグコネクタを接続することで電源供給がなされる構成が一般的である。従って、サーバ装置の運転中に誤ってプラグコネクタがレセプタクルコネクタから抜去されるとその電源が瞬断され、当該サーバ装置だけでなく他の機器や業務等に大きな影響を及ぼすことになる。
【０００５】
そこでサーバ装置の電源ユニットは、プラグコネクタがレセプタクルコネクタから誤って抜去されることを確実に防止でき、しかもこのような抜け止めの設定を作業者が容易に且つ確実に実施することができる構成が求められている。そしてこのような電源コードの抜け止めは、サーバ装置に限らず他の機器に搭載される電源装置においても当然に要求されるものである。
【０００６】
本発明は、上記従来技術の課題を考慮してなされたものであり、レセプタクルコネクタに対してプラグコネクタを容易に且つ確実に抜け止めすることができる電源装置及び該電源装置を備えるサーバ装置を提供することを目的とする。
【課題を解決するための手段】
【０００７】
本発明に係る電源装置は、一端が外部電源に接続された電源コードの他端に設けられたプラグコネクタを接続するためのレセプタクルコネクタを筐体の一面に備えた電源装置であって、前記電源コードを挿通させるコード挿通孔と、前記レセプタクルコネクタに接続された前記プラグコネクタの肩部を係止することで該プラグコネクタの前記レセプタクルコネクタからの抜けを防止する抜け止め部と、前記筐体の一面から進退可能な状態で一端側が該筐体内に差し込まれると共に他端側に前記コード挿通孔及び前記抜け止め部が設けられたベース部とを有し、前記筐体の一面から進退可能に設けられたプラグ保持部材と、前記プラグ保持部材が前記筐体側に押し込まれる方向にプッシュ操作された場合に該プラグ保持部材を所定の押込位置に保持する一方、前記押込位置に保持された前記プラグ保持部材が前記筐体側に押し込まれる方向にさらにプッシュ操作された場合に前記保持を解除し、該プラグ保持部材を前記筐体の一面から押し出す方向に移動させるプッシュ・プッシュ機構とを備えることを特徴とする。
【０００８】
このような構成によれば、プラグコネクタをレセプタクルコネクタに対して接続して抜け止めする際は、プラグコネクタの電源コードをコード挿通孔に挿通させ、肩部を抜け止め部に合わせて配置した状態でプラグ保持部材を筐体側に押し込む。そうすると、プッシュ・プッシュ機構によってプラグ保持部材が押込位置に保持され、プラグコネクタは肩部が抜け止め部によって係止されて抜け止めされる。つまり、プラグ保持部材を押し込むだけの簡単な操作だけでレセプタクルコネクタに対してプラグコネクタを容易に且つ確実に抜け止めすることができ、高い利便性が得られる。
【０００９】
前記プラグ保持部材が前記押込位置に保持された状態で、前記レセプタクルコネクタに接続された前記プラグコネクタの肩部と前記抜け止め部との間には、前記保持を解除するためのプッシュ操作を許容する隙間が形成されており、前記隙間の範囲内で前記プラグコネクタが移動した場合には、前記プラグコネクタと前記レセプタクルコネクタとの電気的な接続状態が維持される構成であってもよい。そうすると、プッシュ・プッシュ機構を用いた構成であってもプラグコネクタをプラグ保持部材で保持した状態でプラグコネクタとレセプタクルコネクタとの電気的な接続状態が切断されることを確実に回避している。
【００１０】
前記プラグ保持部材のベース部には、前記コード挿通孔と連通し、前記プラグコネクタの前記レセプタクルコネクタに対する挿抜方向と交差する方向に開口して前記プラグコネクタが挿通されるコネクタ挿通孔が設けられており、前記筐体の一面の外形範囲内での前記プラグコネクタの移動によって、該プラグコネクタを前記コネクタ挿通孔に対して挿通可能に構成されてもよい。そうすると、当該電源装置の上下や左右に配置された他の機器と干渉することなく、容易にプラグコネクタをプラグ保持部材に保持させることができる。
【００１１】
前記プラグ保持部材が前記押込位置に保持された状態を検知するセンサを備える構成としてもよい。そうすると、プラグ保持部材が押込位置に保持され、プラグコネクタを確実に抜け止めした状態を検知することができる。
【００１２】
前記プラグ保持部材が前記押込位置に保持された状態を前記センサが検知した場合に、当該電源装置からの電力を外部に出力可能な運転準備状態に制御する制御部を備える構成としてもよい。そうすると、プラグコネクタをレセプタクルコネクタに接続し、プラグ保持部材を押込位置に設定しない限りは当該電源装置の電源をオンすることができない制御とすることができるため、プラグ保持部材によるプラグコネクタの抜け止め操作を忘れることが回避される。
【００１３】
前記制御部は、当該電源装置の運転中に前記プラグ保持部材の前記押込位置での保持が解除された状態を前記センサが検知した場合に、外部に警報信号を発信する構成であってもよい。そうすると、運転中にプラグ保持部材が押込位置から突出位置に操作され、プラグコネクタの保持が解除されたことが迅速に外部に通知されるため、管理者等は迅速にプラグ保持部材を再び適正な押込位置に操作することができる。このため、プラグコネクタがプラグ保持部材による保持がなされていない状態で電源装置の運転が継続されることが回避される。
【００１４】
本発明に係るサーバ装置は、上記構成の電源装置を備えることを特徴とする。
【発明の効果】
【００１５】
本発明によれば、プラグ保持部材を押し込むだけの簡単な操作だけでレセプタクルコネクタに対してプラグコネクタを容易に且つ確実に抜け止めすることができ、高い利便性が得られる。
【図面の簡単な説明】
【００１６】
【図１】図１は、本発明の一実施形態に係る電源装置を搭載したサーバ装置の構成を模式的に示した斜視図である。
【図２】図２は、電源装置の構成を模式的に示した背面側からの斜視図である。
【図３】図３は、図２に示す電源装置の一部切欠斜視図である。
【図４】図４は、図２に示す電源装置のプラグ保持部材を押し込んだ状態を示す斜視図である。
【図５】図５は、図２及び図４に示すプラグ保持部材を別の角度から見た構成図である。
【図６】図６は、筐体の背面の正面図である。
【図７】図７は、突出位置でのプラグ保持部材とプラグコネクタの位置関係及びプッシュ・プッシュ機構の状態を模式的に示す側面図である。
【図８】図８は、図７に示す状態からプラグ保持部材を筐体に向かって押し込んだ状態を模式的に示す側面図である。
【図９】図９は、図８に示す状態からプラグ保持部材の押し込みを解除することでプラグ保持部材がプッシュ・プッシュ機構によって押込位置に設定された状態を模式的に示す側面図である。
【図１０】図１０は、図９に示す状態からプラグ保持部材を筐体に向かって押し込むことでプッシュ・プッシュ機構による保持を解除した状態を模式的に示す側面図である。
【図１１】図１１は、レセプタクルコネクタに接続されたプラグコネクタをプラグ保持部材で保持した状態を模式的に示す断面説明図であり、図１１（Ａ）は、プラグコネクタがレセプタクルコネクタに対して深く挿入された状態を示す図であり、図１１（Ｂ）は、プラグコネクタがレセプタクルコネクタから離脱する方向に多少移動した状態を示す図である。
【図１２】図１２は、電源装置の制御系統の一構成例を示すブロック構成図である。
【発明を実施するための形態】
【００１７】
以下、本発明に係る電源装置について、この装置を備えるサーバ装置との関係で好適な実施の形態を挙げ、添付の図面を参照しながら詳細に説明する。
【００１８】
図１は、本発明の一実施形態に係る電源装置１０を搭載したサーバ装置１２の構成を模式的に示した斜視図である。サーバ装置１２は、例えばＣＰＵやメモリ、ハードディスク等のそれぞれの機能を持ったユニットであるブレード１４をラック１６の各棚に複数収納することで、企業内等での情報やデータベースの管理、さらにはインターネット基盤の処理等のために用いられるコンピュータ装置である。本発明はサーバ装置１２以外の電源装置にも適用可能であり、例えば非常用や常用の蓄電池のための電源ユニット等にも好適に適用できる。
【００１９】
このようなサーバ装置１２に搭載される電源装置１０は、例えばビル内の電力供給源（外部電源）から供給される交流電力を直流電力に変換して各ブレード１４に供給する装置である。電源装置１０は、各ブレード１４と同様にラック１６の適宜の棚に収納配置される電力ユニットとして構成されている。電源装置１０はラック１６の背面から該ラック１６の棚に収納され、その背面１０ａが開閉式の転落防止アーム１８によって保持されることでラック１６からの脱落が防止される。
【００２０】
図２は、電源装置１０の構成を模式的に示した背面１０ａ側からの斜視図であり、図３は、図２に示す電源装置１０の一部切欠斜視図である。図２は、電源装置１０に外部電源からの交流電力を供給するプラグコネクタ２０をその背面１０ａのレセプタクルコネクタ２２に接続する直前の状態を示している。図３は、プラグコネクタ２０をレセプタクルコネクタ２２からの抜け止めするプラグ保持部材２４の大部分を切り欠いて省略した状態を示している。図４は、図２に示す電源装置１０のプラグ保持部材２４を押し込んだ状態を示す斜視図であり、図５は、図２及び図４に示すプラグ保持部材２４を別の角度から見た構成図である。また、図６は、筐体２６の背面１０ａの正面図であり、プラグコネクタ２０をプラグ保持部材２４の内側に配置する様子を示している。
【００２１】
図２及び図３に示すように、電源装置１０は、扁平箱状の筐体２６の内部に交流電力を直流電力に変換する電力変換回路等を設けた構成である。筐体２６の背面１０ａには、プラグコネクタ２０が接続されるレセプタクルコネクタ２２と、該レセプタクルコネクタ２２に接続されたプラグコネクタ２０を抜け止めするプラグ保持部材２４と、電力変換回路等の冷却用のファン２８とが設けられている。電源装置１０は、外部電源からの直流電力を異なる電圧の直流電力に変換する構成でもよい。
【００２２】
レセプタクルコネクタ２２は、筐体２６の背面１０ａで開口した凹状のコネクタであり、プラグコネクタ２０が挿入接続される。レセプタクルコネクタ２２の内側には、内部の電力変換回路等に図示しない配線を介して接続された複数の端子２２ａが突設されている。プラグコネクタ２０は、一端が外部電源に接続された電源コード３０の他端に接続された凸状のコネクタである。プラグコネクタ２０は、内部に複数の端子２０ａを設けた先端部２０ｂがレセプタクルコネクタ２２内に挿入されることで、該レセプタクルコネクタ２２に対して物理的に且つ電気的に接続される。
【００２３】
プラグ保持部材２４は、ステンレス等の金属板や樹脂板等で平面視略コ字状に形成された矩形枠状の部材であり、筐体２６の背面１０ａから進退可能に設けられている。プラグ保持部材２４は、背面１０ａに平行した板状部である抜け止め部３２と、抜け止め部３２に形成されたコード挿通孔３４と、抜け止め部３２の両側部から屈曲して背面１０ａに向かって垂直方向に延在した左右一対のベース部３６，３７とを有する。
【００２４】
図２及び図５に示すように、コード挿通孔３４は、抜け止め部３２の中央から一方のベース部３６側に向かって開口した長孔であり、ベース部３６に形成されたコネクタ挿通孔３８に連通している。コード挿通孔３４の内径は、プラグコネクタ２０に接続された電源コード３０を挿通可能、且つプラグコネクタ２０の肩部２０ｃを挿通不能な寸法に設定されている。プラグコネクタ２０の肩部２０ｃは、電源コード３０が接続される部分であり、該電源コード３０よりも大きな外形に形成されている。
【００２５】
抜け止め部３２は、コード挿通孔３４の周縁部に設けられ、レセプタクルコネクタ２２に接続されたプラグコネクタ２０の肩部２０ｃを係止することで該プラグコネクタ２０をレセプタクルコネクタ２２から抜け止めする板状部分である。図２及び図４に示すように、プラグ保持部材２４の内側に配置され、電源コード３０がコード挿通孔３４に挿通された状態のプラグコネクタ２０は、その肩部２０ｃがコード挿通孔３４の周縁部を形成する抜け止め部３２に引っ掛かることでレセプタクルコネクタ２２から抜去する方向の移動が阻止される。
【００２６】
各ベース部３６，３７は、それぞれの一端側が筐体２６の背面１０ａに形成されたスライド孔４０，４１にそれぞれスライド可能に抜け止めされた状態で差し込まれ、それぞれの他端側が抜け止め部３２によって繋がれている。スライド孔４０，４１は、筐体２６の背面１０ａにおけるレセプタクルコネクタ２２の左右側部にそれぞれ形成された縦長狭幅の孔部である。
【００２７】
筐体２６の背面１０ａの中央側にある一方のベース部３６には、コード挿通孔３４と連通したコネクタ挿通孔３８が開口形成されている。コネクタ挿通孔３８は、プラグコネクタ２０のレセプタクルコネクタ２２に対する挿抜方向と交差（本実施形態では直交）する方向（筐体２６の左右方向）に開口している。
【００２８】
図５及び図６に示すように、プラグコネクタ２０をレセプタクルコネクタ２２に対する挿抜方向と直交する方向に移動させてコネクタ挿通孔３８に挿通させる。これによりプラグコネクタ２０がプラグ保持部材２４の内側に配置されると同時に、電源コード３０がコネクタ挿通孔３８とコード挿通孔３４との境界部分を通って該コード挿通孔３４に挿通配置される。
【００２９】
このようにプラグコネクタ２０をプラグ保持部材２４の側方から該プラグ保持部材２４の内側に挿入配置する構成としたことにより、筐体２６の背面１０ａの外形範囲内（背面１０ａの正面視での背面１０ａの外形範囲内。つまり背面１０ａの投影面積内）でプラグコネクタ２０を移動させてコネクタ挿通孔３８に挿通させることができる。その結果、サーバ装置１２のラック１６に搭載された当該電源装置１０の上下や左右の他のブレード１４と干渉することなく、容易にプラグコネクタ２０をプラグ保持部材２４に保持させることができる。なお電源装置１０を縦置きでラック１６に収納する構成の場合も同様であり、この場合は例えば背面１０ａの外形範囲内でコネクタ挿通孔３８の上方又は下方からプラグコネクタ２０を挿通させればよい。
【００３０】
筐体２６内に配置されるベース部３６の先端面には略三角形状の突出片部３６ａが設けられている（図５参照）。突出片部３６ａの下側の傾斜面には、筐体２６内に配置されてプラグ保持部材２４の押込位置を検知するセンサ３９の検出片３９ａが当接しているが、詳細は後述する。
【００３１】
筐体２６の背面１０ａの右側部側となる他方のベース部３７の筐体２６内に配置された部分には、プッシュ・プッシュ機構４２を構成するカム支持板４４が連結されている（図５参照）。
【００３２】
このようなプラグ保持部材２４は、左右のベース部３６，３７がスライド孔４０，４１に対してスライド可能に設けられていることにより筐体２６の背面１０ａから進退可能である。この際、一方のベース部３６は筐体２６内でスライド可能且つ抜け止め支持され、他方のベース部３７は筐体２６内でスライド可能且つ抜け止め支持されると同時にプッシュ・プッシュ機構４２によって所定のスライド位置に保持可能に構成されている。その結果、プラグ保持部材２４は、筐体２６の背面１０ａから図２に示すように飛び出した突出位置と、図４に示すように押し込まれた押込位置とに移動可能となっている。
【００３３】
そこで、次にプラグ保持部材２４の筐体２６の背面１０ａに対する進退位置を保持するプッシュ・プッシュ機構４２の構成と動作について、プラグコネクタ２０のレセプタクルコネクタ２２への接続動作と共に説明する。
【００３４】
図７は、突出位置でのプラグ保持部材２４とプラグコネクタ２０の位置関係及びプッシュ・プッシュ機構４２の状態を模式的に示す側面図であり、図８は、図７に示す状態からプラグ保持部材２４を筐体２６に向かって押し込んだ状態を模式的に示す側面図である。また、図９は、図８に示す状態からプラグ保持部材２４の押し込みを解除することでプラグ保持部材２４がプッシュ・プッシュ機構４２によって押込位置に設定された状態を模式的に示す側面図であり、図１０は、図９に示す状態からプラグ保持部材２４を筐体２６に向かって押し込むことでプッシュ・プッシュ機構４２による保持を解除した状態を模式的に示す側面図である。
【００３５】
先ず、プッシュ・プッシュ機構４２の一構成例を説明する。なお、プッシュ・プッシュ機構４２としては、プラグ保持部材２４をプッシュ操作によって押込位置に保持し、この保持をプッシュ操作によって解除して突出位置に復帰させることができる機構であれば他の構成であってもよく、従来より公知の機構（プッシュオン・プッシュオフ機構等とも呼ばれることがある）を用いることができる。
【００３６】
図７に示すように、プッシュ・プッシュ機構４２は、プラグ保持部材２４のベース部３７と連結固定され、カム部材４６を回転可能に支持したカム支持板４４と、筐体２６の内面に固定され、カム支持板４４をスライド可能に支持した支持部材４８とを備える。
【００３７】
カム支持板４４は、一端側がねじ等の連結部５０によってプラグ保持部材２４のベース部３７と連結固定され、カム部材４６を軸支した他端側が支持部材４８にスライド可能に支持されている。カム支持板４４の他端側にはガイドピン４４ａが一対設けられている。各ガイドピン４４ａは支持部材４８に設けられた一対のガイド長孔４８ａ，４８ａにそれぞれ摺動可能に挿通されてガイドされる。カム部材４６は、互いの線対称に設けられて三角形状に凹んだ一対のカム溝４６ａ，４６ａを有する。
【００３８】
支持部材４８は、筐体２６の内面に固定されることで、プラグ保持部材２４と共に筐体２６に対してスライドするカム支持板４４をスライド可能に支持している。支持部材４８の一端側寄りで一対のガイド長孔４８ａ，４８ａ間となる位置には、カム支持板４４のスライド方向に延びたカム作動孔５２が形成されている。カム作動孔５２は、カム部材４６をガイドしつつ所定の回転位置に設定するための孔部である。カム作動孔５２の内側には、カム部材４６のスライド方向で互いに対角方向に対向する一対の突起５２ａ，５２ｂが突出している。
【００３９】
支持部材４８のカム作動孔５２よりも奥側には、ねじりコイルばね５４が支持されている。ねじりコイルばね５４は、一端が支持部材４８に支持され、他端がカム支持板４４の先端面に支持されることで、カム支持板４４を図７中で常時左側、つまりプラグ保持部材２４が突出位置に向かう方向に付勢している。
【００４０】
次に、プラグコネクタ２０のレセプタクルコネクタ２２への接続動作と、この接続動作と関連するプッシュ・プッシュ機構４２を用いたプラグ保持部材２４の進退動作及びその作用について説明する。
【００４１】
先ず、プラグコネクタ２０をレセプタクルコネクタ２２に接続する際は、図２及び図７に示すように、プッシュ・プッシュ機構４２を介してプラグ保持部材２４を突出位置に設定しておく。この際、プラグ保持部材２４のベース部３６の突出片部３６ａによってはセンサ３９の検出片３９ａが押圧されていないため、センサ３９はオフされている。なお、この突出位置では平面視略コ字状のプラグ保持部材２４が筐体２６の背面１０ａから大きく飛び出しているため、作業者はこのプラグ保持部材２４をハンドルとして把持し、電源装置１０をラック１６の棚に対して収納し或いは抜き出すことができる。
【００４２】
続いて、図５及び図６に示すようにプラグコネクタ２０を突出位置にあるプラグ保持部材２４のベース部３６側の側部からコネクタ挿通孔３８内へと挿通させ、同時に電源コード３０をコード挿通孔３４に側方から挿通させる。その結果、突出位置にあるプラグ保持部材２４の内側にプラグコネクタ２０が配置され、電源コード３０がコード挿通孔３４から引き出された状態となる（図２及び図７参照）。
【００４３】
図８に示すようにプラグ保持部材２４を筐体２６の背面１０ａに向かって押し込むプッシュ操作を行う。そうすると、プラグ保持部材２４が筐体２６に向かってスライドするため、プラグコネクタ２０はその肩部２０ｃが抜け止め部３２によって押圧され、プラグ保持部材２４と共にスライドする。プラグ保持部材２４が最も奥側まで押し込まれると、プラグコネクタ２０の先端部２０ｂがレセプタクルコネクタ２２に挿入されて互いの端子２０ａ，２２ａが電気的に接続され、プラグコネクタ２０とレセプタクルコネクタ２２の接続が完了する。この際、図８に示すようにカム部材４６はそのカム溝４６ａが支持部材４８のカム作動孔５２の奥側の突起５２ａに当接して回転する。なお、プラグ保持部材２４を押し込む前に、予めプラグコネクタ２０をレセプタクルコネクタ２２に接続しておいてもよい。
【００４４】
続いて、プラグ保持部材２４への押し込み力を解除すると、図９に示すようにねじりコイルばね５４の付勢力によってカム支持板４４（及びプラグ保持部材２４）が手前側に多少移動し、カム部材４６のカム溝４６ａが今度はカム作動孔５２の手前側の突起５２ｂに当接して係止される。
【００４５】
従って、プラグ保持部材２４がプッシュ・プッシュ機構４２を介して押込位置に保持される（図４及び図９参照）。このようにプラグ保持部材２４が押込位置に設定されると、プラグコネクタ２０の肩部２０ｃと至近となる位置に抜け止め部３２が配置される。その結果、プラグコネクタ２０のレセプタクルコネクタ２２から離脱する方向の移動が規制され、その抜け止め（ロック）がなされる。この際、プラグ保持部材２４の一方のベース部３６の突出片部３６ａによってセンサ３９の検出片３９ａが押圧され、センサ３９がオンされる。このセンサ３９のオン信号は後述する制御部６０によって処理されることになる（図１２参照）。
【００４６】
なお、本実施形態の場合は、このようにプラグコネクタ２０を抜け止め保持するプラグ保持部材２４をプッシュ・プッシュ機構４２によって押込位置に保持する構成としている。このため、図９に示すようにプラグ保持部材２４を押込位置に保持した状態で、プラグコネクタ２０の肩部２０ｃと抜け止め部３２との間には、その保持状態の解除時のプッシュ操作を許容するための隙間が形成されており、この隙間の範囲内でプラグコネクタ２０が挿抜方向に移動可能となる（図１１（Ａ）及び図１１（Ｂ）参照）。しかしながら、当該電源装置１０では図１１（Ａ）及び図１１（Ｂ）に示すように、肩部２０ｃと抜け止め部３２との間の隙間の範囲内でプラグコネクタ２０が挿抜方向に移動した場合であっても、常にプラグコネクタ２０とレセプタクルコネクタ２２の端子２０ａ，２２ａ同士の接触状態が維持される構成としている。その結果、プラグ保持部材２４が押込位置に保持されている限りは多少前後に移動しても常にプラグコネクタ２０とレセプタクルコネクタ２２の電気的な接続状態が維持される構成となっている。
【００４７】
一方、レセプタクルコネクタ２２に接続されたプラグコネクタ２０を取り外す場合は、図９に示すように押込位置に保持されたプラグ保持部材２４を再び奥側に向かってプッシュ操作する。そうすると、図１０に示すようにカム部材４６のカム溝４６ａとカム作動孔５２の手前側の突起５２ｂとの係止状態が解除され、カム部材４６が今度は奥側の突起５２ａに当接して回転する。そこでプラグ保持部材２４への押し込み力を解除すると、ねじりコイルばね５４の付勢力によってカム支持板４４及びプラグ保持部材２４が手前側に移動し、カム部材４６はカム作動孔５２の手前側の突起５２ｂに係止されることなく該突起５２ｂの脇を通過する。その結果、再び図７に示すようにプラグ保持部材２４が突出位置に設定される。
【００４８】
従って、その後はプラグコネクタ２０を把持してレセプタクルコネクタ２２から引き抜き、プラグコネクタ２０及び電源コード３０をコネクタ挿通孔３８及びコード挿通孔３４から側方へと引き抜く。これによりプラグコネクタ２０をプラグ保持部材２４から完全に取り外すことができる。
【００４９】
図１２は、電源装置１０の制御系統の一構成例を示すブロック構成図である。
【００５０】
図１２に示すように、電源装置１０の筐体２６内に設置された制御部６０は、電力供給制御部６２と、警報発信制御部６４とを有する。制御部６０には、センサ３９からの信号が入力される。また制御部６０には、当該電源装置１０の起動スイッチである電源ボタン６６が接続されている。
【００５１】
電力供給制御部６２は、例えばビル内の電力供給源である外部電源６８からの電力を所定の電圧等に変換してサーバ装置１２の各ブレード１４等の電力受給機器７０に供給する制御を行う。警報発信制御部６４は、センサ３９からのオン信号を受信すると、当該電源装置１０又はサーバ装置１２の各部に設けられた警報手段７２に対して警報を発信させる指示を送信する。警報手段７２は、例えば外部にランプの点灯や点滅で警報を知らせるＬＥＤランプや、警報音を発生するスピーカ、さらには所定のアドレスに警報メール等を送信する通知手段等である。
【００５２】
このような制御部６０は、例えばプラグ保持部材２４が押込位置に保持された状態をセンサ３９が検知した場合に（図９参照）、プラグコネクタ２０がレセプタクルコネクタ２２に接続されたと判断する。そうすると、電力供給制御部６２が当該電源装置１０からの電力を外部の電力受給機器７０に出力可能な運転準備状態に制御される。電力供給制御部６２は、この運転準備状態でのみ電源ボタン６６によるオン操作を受け付けて起動され、電力受給機器７０に所定の電力を供給する制御を行うことが可能となる。これにより、プラグコネクタ２０をレセプタクルコネクタ２２に接続し、プラグ保持部材２４を押込位置に設定しない限りは当該電源装置１０の電源をオンすることができないため、プラグ保持部材２４によるプラグコネクタ２０の抜け止め操作を忘れることが回避される。
【００５３】
さらに制御部６０は、例えば当該電源装置１０の運転中にプラグ保持部材２４の押込位置での保持が解除された状態がセンサ３９によって検知された場合、つまり運転中にセンサ３９がオフ信号を発した場合に、プラグ保持部材２４によるプラグコネクタ２０の保持状態が解除されたと判断する。そうすると、警報発信制御部６４が外部の警報手段７２に所定の警報信号を発信する制御を実施する。これにより、サーバ装置１２の運転中にプラグ保持部材２４が押込位置から突出位置に操作され、プラグコネクタ２０の保持が解除されたことが迅速に外部に通知されるため、管理者等は迅速にプラグ保持部材２４を再び適正な押込位置に操作することができる。このため、プラグコネクタ２０がプラグ保持部材２４による保持がなされていない状態で電源装置１０の運転が継続されることが回避される。その結果、運転中に誤ってプラグコネクタ２０がレセプタクルコネクタ２２から抜去されてサーバ装置１２の電源が瞬断されることを防止できる。
【００５４】
以上のように、本実施形態に係る電源装置１０では、電源コード３０を挿通させるコード挿通孔３４と、コード挿通孔３４の周縁部に設けられ、レセプタクルコネクタ２２に接続されたプラグコネクタ２０の肩部２０ｃを係止することでプラグコネクタ２０のレセプタクルコネクタ２２からの抜けを防止する抜け止め部３２と、筐体２６の背面１０ａから進退可能な状態で一端側が該筐体２６内に差し込まれると共に他端側にコード挿通孔３４及び抜け止め部３２が設けられたベース部３６，３７とを有し、筐体２６の背面１０ａから進退可能に設けられたプラグ保持部材２４と、プラグ保持部材２４が筐体２６側に押し込まれる方向にプッシュ操作された場合に該プラグ保持部材２４を所定の押込位置に保持する一方、押込位置に保持されたプラグ保持部材２４が筐体２６側に押し込まれる方向にさらにプッシュ操作された場合に保持を解除し、プラグ保持部材２４を筐体２６の背面１０ａから押し出す方向に移動させるプッシュ・プッシュ機構４２とを備える。
【００５５】
従って、プラグコネクタ２０をレセプタクルコネクタ２２に対して接続して抜け止めする際は、プラグコネクタ２０の電源コード３０をコード挿通孔３４に挿通させ、肩部２０ｃを抜け止め部３２に対向させて配置した状態でプラグ保持部材２４を筐体２６側に押し込む（図７〜図９参照）。そうすると、プッシュ・プッシュ機構４２によってプラグ保持部材２４が押込位置に保持され、プラグコネクタ２０は肩部２０ｃが抜け止め部３２によって係止されて抜け止めされる。つまり、プラグ保持部材２４を押し込むだけの簡単な操作だけでレセプタクルコネクタ２２に対してプラグコネクタ２０を容易に且つ確実に抜け止めすることができ、高い利便性が得られる。
【００５６】
このようにプッシュ・プッシュ機構４２を用いているため、プラグ保持部材２４が押込位置に保持された状態でレセプタクルコネクタ２２に接続されたプラグコネクタ２０の肩部２０ｃと抜け止め部３２との間には、保持を解除するためのプッシュ操作（図１０参照）を許容する隙間が形成されることになる。そこで、当該電源装置１０では、この隙間の範囲内でプラグコネクタ２０が移動した場合には、プラグコネクタ２０とレセプタクルコネクタ２２との電気的な接続状態が維持される構成としている（図１１（Ａ）及び図１１（Ｂ）参照）。これによりプラグコネクタ２０をプラグ保持部材２４で保持した状態でプラグコネクタ２０とレセプタクルコネクタ２２との電気的な接続状態が切断されることを確実に回避している。
【００５７】
当該電源装置１０では、プラグ保持部材２４をプッシュ・プッシュ機構４２によって筐体２６の背面１０ａから大きく飛び出した突出位置に設定できる。このため、作業者はこのプラグ保持部材２４をハンドルとして把持し、電源装置１０をラック１６の棚に対して容易に且つ円滑に収納し或いは抜き出すことができる。しかもプラグ保持部材２４はプラグコネクタ２０を保持した状態では筐体２６の背面１０ａに対して近接した押込位置に配置される。このため、ハンドルとしての利用が不要な状態ではプラグ保持部材２４の突出量を最小限に抑えることができるため、プラグ保持部材２４がラック１６の転落防止アーム１８やラック１６の背面側に多数配索される各種コードに干渉することを防止できる。
【００５８】
なお、本発明は、上記した実施形態に限定されるものではなく、本発明の主旨を逸脱しない範囲で自由に変更できることは勿論である。
【符号の説明】
【００５９】
１０  電源装置
１０ａ  背面
１２  サーバ装置
１４  ブレード
１６  ラック
１８  転落防止アーム
２０  プラグコネクタ
２０ａ，２２ａ  端子
２０ｂ  先端部
２０ｃ  肩部
２２  レセプタクルコネクタ
２４  プラグ保持部材
２６  筐体
３０  電源コード
３２  抜け止め部
３４  コード挿通孔
３６，３７  ベース部
３８  コネクタ挿通孔
３９  センサ
３９ａ  検出片
４２  プッシュ・プッシュ機構
４４  カム支持板
４６  カム部材
４８  支持部材
５２  カム作動孔
５４  ねじりコイルばね
６０  制御部
６２  電力供給制御部
６４  警報発信制御部
６６  電源ボタン
６８  外部電源
７０  電力受給機器
７２  警報手段
【要約】
【課題】レセプタクルコネクタに対してプラグコネクタを容易に且つ確実に抜け止めすることができる電源装置及び該電源装置を備えるサーバ装置を提供する。
【解決手段】電源装置１０は、電源コード３０を挿通させるコード挿通孔３４と、レセプタクルコネクタ２２に接続されたプラグコネクタ２０の肩部２０ｃを係止することでプラグコネクタ２０のレセプタクルコネクタ２２からの抜けを防止する抜け止め部３２と、筐体２６の背面１０ａから進退可能な状態で一端側が該筐体２６内に差し込まれると共に他端側にコード挿通孔３４及び抜け止め部３２が設けられたベース部３６，３７とを有し、筐体２６の背面１０ａから進退可能に設けられたプラグ保持部材２４と、プラグ保持部材２４を押込位置と突出位置とに設定可能なプッシュ・プッシュ機構４２とを備える。
【選択図】図２【図１】
0006055067.tif 000002
【図２】
0006055067.tif 000003
【図３】
0006055067.tif 000004
【図４】
0006055067.tif 000005
【図５】
0006055067.tif 000006
【図６】
0006055067.tif 000007
【図７】
0006055067.tif 000008
【図８】
0006055067.tif 000009
【図９】
0006055067.tif 000010
【図１０】
0006055067.tif 000011
【図１１】
0006055067.tif 000012
【図１２】
0006055067.tif 000013